(57)【特許請求の範囲】
【請求項１】
携帯端末装置と、該携帯端末装置とデータ通信可能な中央装置とを備え、前記携帯端末装置は、前記中央装置から受信した表示画面定義情報に基づいて画像を表示し、表示された画像を介して受け付けたデータを前記中央装置へ送信するようにしてあるデータ通信システムにおいて、
前記中央装置は、
前記携帯端末装置で表示する画像を定義する表示画面定義情報を記憶する手段と、
前記表示画面定義情報に、前記携帯端末装置と前記中央装置との通信時の例外処理の定義を挿入すべく、通信に関する処理の内容を指定した通信制御情報を付与する手段と
を備え、
前記携帯端末装置は、
受信した表示画面定義情報から前記通信制御情報を抽出する手段を備え、
抽出された通信制御情報に従って、前記中央装置とデータ通信するようにしてあり、
抽出された通信制御情報に基づく例外処理として、前記中央装置とデータ通信を開始してから終了するまでの間に、該データ通信と非同期で、前記通信制御情報にて指定されている画像を表示する
ことを特徴とするデータ通信システム。
【請求項２】
前記中央装置は、
前記携帯端末装置の通信環境を特定する環境情報に対応付けて前記通信制御情報を記憶手段へ記憶しておき、
前記環境情報を前記携帯端末装置から受信する手段と、
受信した環境情報に基づいて、前記記憶手段から前記通信制御情報を抽出する手段と
を備え、
抽出された通信制御情報を前記表示画面定義情報に付与するようにしてあることを特徴とする請求項１記載のデータ通信システム。
【請求項３】
携帯端末装置と中央装置との間のデータ通信を中継する中継装置において、
前記携帯端末装置で表示する画像を定義する表示画面定義情報を前記中央装置から受信する手段と、
前記表示画面定義情報に、前記携帯端末装置と前記中央装置との通信時の例外処理の定義を挿入すべく、通信に関する処理の内容を指定した通信制御情報を付与する手段と、
該通信制御情報が付与された表示画面定義情報を前記携帯端末装置へ送信する手段と
を備え、
前記通信制御情報は、前記携帯端末装置と中央装置との間でデータ通信を開始してから終了するまでの間に、該データ通信と非同期の例外処理として表示する画像を指定する情報を含む
ことを特徴とする中継装置。
【請求項４】
外部から受信した表示画面定義情報に基づいて画像を表示し、表示された画像を介して受け付けたデータを外部へ送信するようにしてある携帯端末装置において、
外部から表示する画像を定義する表示画面定義情報を受信する手段と、
前記表示画面定義情報から、データ通信時の例外処理の定義を挿入すべく、通信に関する処理の内容を指定した通信制御情報を抽出する手段と、
抽出された通信制御情報に従って外部とデータ通信する手段と、
抽出された通信制御情報にて指定された例外処理として、外部とデータ通信を開始してから終了するまでの間に、該データ通信と非同期で、前記通信制御情報にて指定されている画像を表示する手段と
を備えることを特徴とする携帯端末装置。
【発明の詳細な説明】
【技術分野】
【０００１】
本発明は、携帯電話機のような移動可能な携帯端末装置が、中央装置から受信した表示画面定義情報に基づいて画面を表示する場合、携帯端末装置の通信環境に応じてデータ通信の例外処理を変更することができるデータ通信システム、中継装置、及び携帯端末装置に関する。
【背景技術】
【０００２】
昨今のコンピュータ技術の進展により、携帯電話機、携帯端末装置等の移動体を用いるモバイル通信を安定的に行うことができる通信環境インフラが整備されつつある。斯かる環境下では、従来社内等で情報を共有していたアプリケーションを社外でも使用することができるデータ通信システム、加えて移動しながら使用することができるデータ通信システムが多々開発されるようになってきた。
【０００３】
例えばＳＦＡ（Ｓａｌｅｓ  Ｆｏｒｃｅ  Ａｕｔｏｍａｔｉｏｎ）アプリケーションを携帯端末装置を用いて使用する場合、携帯端末装置を持参している営業員は、携帯端末装置とＳＦＡサーバとの通信をＨＴＴＰ（ＨｙｐｅｒＴｅｘｔ  Ｔｒａｎｓｆｅｒ  Ｐｒｏｔｏｃｏｌ）等の通信プロトコルを用いて確立し、例えば表示画面定義情報をＳＦＡサーバから受信することで、所望のアプリケーションの画面を携帯端末装置の表示部に表示する。ユーザである営業員は、携帯端末装置に表示されている画面を介して、日報報告、進捗報告等を入力し、ＳＦＡサーバへ送信して、ＳＦＡサーバのデータベース等に記憶する。
【０００４】
このようなモバイル通信環境では、通信トラフィックの変動等により、一度確立した通信が途絶える事態が生じうる。通信が途中で中断した場合には、あらかじめ定めた回数リトライ処理を実行する、一定時間間隔でリトライ処理を実行する等の例外処理を行う。斯かる例外処理は、中央装置に記憶されているサービス提供プログラムで定義されており、プログラム自体を更新することが困難であることから、通常は利用者が与えた情報に基づいて、例外処理パラメータを選択し、選択されたパラメータに基づいて例外処理を実行する（特許文献１参照）。
【特許文献１】特開平４−０１３３３２号公報
【発明の開示】
【発明が解決しようとする課題】
【０００５】
しかし、上述した従来のデータ通信システムでは、利用者がどのような例外処理を行うのか指定する必要があった。すなわち、ユーザは、通信が途中で中断した場合に、何回リトライ処理を実行するか、どの程度の時間間隔でリトライ処理を実行するか等に関して、データ通信を行う前に指定し、中央装置へ送信する。中央装置では、ユーザの指定に従って通信パラメータを設定し、指定された例外処理を実行する。したがって、移動することによる動的な環境変動にはリアルタイム的に対応することはできないという問題点があった。例えば、トンネルへ侵入したことによる通信遮断と、基地局が散在する奥地へ移動することによる頻繁な通信遮断とでは、例外処理が相違するにもかかわらず、従来のデータ通信システムでは予めその開発時にプログラムの中で一意的に定めざるを得なかった。
【０００６】
また、指定された例外処理が、携帯端末装置と中央装置との相性等により、必ずしも最適な例外処理を指定していないおそれも残されていた。すなわち、最適な例外処理であると考えて指定した例外処理が、装置間の相性によっては安定した通信環境を維持することができない場合も生じうる。
【０００７】
本発明は、斯かる事情に鑑みてなされたものであり、携帯電話機のような移動可能な携帯端末装置が、中央装置から受信した表示画面定義情報に基づいて画面を表示する場合、携帯端末装置の通信環境に応じてデータ通信の例外処理を動的に変更することができるデータ通信システム、中継装置、及び携帯端末装置を提供することを目的とする。
【課題を解決するための手段】
【０００８】
本願は、携帯端末装置と、該携帯端末装置とデータ通信可能な中央装置とを備え、前記携帯端末装置は、前記中央装置から受信した表示画面定義情報に基づいて画像を表示し、表示された画像を介して受け付けたデータを前記中央装置へ送信するようにしてあるデータ通信システムにおいて、前記中央装置は、前記携帯端末装置で表示する画像を定義する表示画面定義情報を記憶する手段と、前記表示画面定義情報に、前記携帯端末装置と前記中央装置との通信時の例外処理の定義を挿入すべく、通信に関する処理の内容を指定した通信制御情報を付与する手段とを備え、前記携帯端末装置は、受信した表示画面定義情報から前記通信制御情報を抽出する手段を備え、抽出された通信制御情報に従って、前記中央装置とデータ通信するようにしてあり、抽出された通信制御情報に基づく例外処理として、前記中央装置とデータ通信を開始してから終了するまでの間に、該データ通信と非同期で、前記通信制御情報にて指定されている画像を表示することを特徴とするデータ通信システムを開示する。
【０００９】
本願は、前記中央装置は、前記携帯端末装置の通信環境を特定する環境情報に対応付けて前記通信制御情報を記憶手段へ記憶しておき、前記環境情報を前記携帯端末装置から受信する手段と、受信した環境情報に基づいて、前記記憶手段から前記通信制御情報を抽出する手段とを備え、抽出された通信制御情報を前記表示画面定義情報に付与するようにしてあることを特徴とするデータ通信システムを開示する。
【００１１】
本願は、携帯端末装置と中央装置との間のデータ通信を中継する中継装置において、前記携帯端末装置で表示する画像を定義する表示画面定義情報を前記中央装置から受信する手段と、前記表示画面定義情報に、前記携帯端末装置と前記中央装置との通信時の例外処理の定義を挿入すべく、通信に関する処理の内容を指定した通信制御情報を付与する手段と、該通信制御情報が付与された表示画面定義情報を前記携帯端末装置へ送信する手段とを備え、前記通信制御情報は、前記携帯端末装置と中央装置との間でデータ通信を開始してから終了するまでの間に、該データ通信と非同期の例外処理として表示する画像を指定する情報を含むことを特徴とする中継装置を開示する。
【００１２】
本願は、外部から受信した表示画面定義情報に基づいて画像を表示し、表示された画像を介して受け付けたデータを外部へ送信するようにしてある携帯端末装置において、外部から表示する画像を定義する表示画面定義情報を受信する手段と、前記表示画面定義情報から、データ通信時の例外処理の定義を挿入すべく、通信に関する処理の内容を指定した通信制御情報を抽出する手段と、抽出された通信制御情報に従って外部とデータ通信する手段と、抽出された通信制御情報にて指定された例外処理として、外部とデータ通信を開始してから終了するまでの間に、該データ通信と非同期で、前記通信制御情報にて指定されている画像を表示する手段とを備えることを特徴とする携帯端末装置を開示する。
【００１３】
本願では、携帯端末装置は、中央装置から受信した表示画面定義情報に基づいて画像を表示し、表示された画像を介して受け付けたデータを中央装置へ送信する。中央装置は、携帯端末装置で表示する画像を定義する表示画面定義情報を記憶し、表示画面定義情報に、携帯端末装置と中央装置との通信時の例外処理手順を設定する通信制御情報を付与し、通信制御情報が付与された表示画面定義情報を携帯端末装置へ送信する。携帯端末装置は、表示画面定義情報を受信し、通信制御情報を抽出する。携帯端末装置は、抽出された通信制御情報に従って、中央装置とデータ通信する。これにより、携帯端末装置は、画像を表示するために受信する表示画面定義情報内に付与されている通信制御情報に従って、通信異常時のリトライ回数、リトライ間隔等を定めることができ、例えばウェブサービスアプリケーションの実行途上で通信が切断された場合であっても、適切な例外処理を実行することにより、ユーザに生じる使用上の違和感を抑制することが可能となる。また、携帯端末装置の機種変更等を行った場合であっても、中央装置側のアプリケーションプログラムは変更する必要がなく、メンテナンス工数を削減することができ、データ通信システムで採用する携帯端末装置の物理的制約を緩和することができ、システムの拡張・改変等を行うことが容易となる。
【００１４】
本願では、中央装置は、携帯端末装置の通信環境を特定する環境情報に対応付けた通信制御情報を記憶手段へ事前に記憶しておく。通信制御情報とは、通信が遮断された場合等の例外処理を特定した情報を意味している。中央装置は、環境情報を携帯端末装置から受信し、受信した環境情報に基づいて通信制御情報を抽出し、抽出された通信制御情報を表示画面定義情報に付与して携帯端末装置へ送信する。これにより、携帯端末装置から機種に関する情報、キャリアに関する情報、通信プロトコルに関する情報、通信状態に関する情報等の環境情報を受信した中央装置は、環境情報に対応する通信制御情報を確実に抽出することができ、携帯端末装置は環境情報に応じた最適な例外処理を実行することが可能となる。
【００１５】
本願では、通信制御情報は、携帯端末装置と中央装置との間で通信を開始してから終了するまでの間に携帯端末装置で表示する画像を指定する情報を含んでいる。これにより、データ通信を行うアプリケーションの実行途上であっても、非同期に他のアプリケーションを実行することが可能となり、例えばデータ通信のリトライ処理途上で他のアプリケーションを実行することにより、ユーザの利便性が向上する。
【００１６】
本願では、中継装置は、携帯端末装置で表示する画面のフォーマットを設定する表示画面定義情報を中央装置から受信し、表示画面定義情報に、携帯端末装置と前記中央装置との通信時の例外処理手順を設定する通信制御情報を付与し、通信制御情報が付与された表示画面定義情報を携帯端末装置へ送信する。中継装置を経由してデータ通信することにより、既設の中央装置で実行される通信プログラムを変更することなく、中継装置にて表示画面定義情報に通信制御情報を付与することができ、通信異常時のリトライ回数、リトライ間隔等を定めることが可能となる。したがって、例えばウェブサービスアプリケーションの実行途上で通信が切断された場合であっても、適切な例外処理を実行することができ、データ通信システムで採用する携帯端末装置の物理的制約を緩和することができ、プログラムの再開発、変更等を行うことなく、表示画面定義情報に含まれる通信制御情報を変更するだけで、システムの通信動作に関する拡張・改変等を行うことが容易となる。
【００１７】
本願では、携帯端末装置は、外部から表示する画像を定義する表示画面定義情報を受信し、表示画面定義情報から、データ通信時の例外処理手順を設定する通信制御情報を抽出し、抽出された通信制御情報に従って外部とデータ通信する。これにより、外部から受信した表示画面定義情報に含まれている通信制御情報に従って、例えば通信異常時のリトライ回数、リトライ間隔等を定めることができ、中央装置に構築されているアプリケーションプログラムの仕様を意識することなく、最適な例外処理を実行することが可能となる。
【発明の効果】
【００１８】
本願によれば、携帯端末装置は、画像を表示するために受信する表示画面定義情報内に付与されている通信制御情報に従って、通信異常時のリトライ回数、リトライ間隔等を定めることができ、例えばウェブサービスアプリケーションの実行途上で通信が切断された場合であっても、適切な例外処理を実行することにより、ユーザに生じる使用上の違和感を抑制することが可能となる。また、携帯端末装置の機種変更等を行った場合であっても、中央装置側のアプリケーションプログラムは変更する必要がなく、メンテナンス工数を削減することができ、データ通信システムで採用する携帯端末装置の物理的制約を緩和することができ、システムの拡張・改変等を行うことが容易となる。
【００１９】
本願によれば、携帯端末装置から機種に関する情報、キャリアに関する情報、通信プロトコルに関する情報、通信状態に関する情報等の環境情報を受信した中央装置は、環境情報に対応する通信制御情報を確実に抽出することができ、携帯端末装置は環境情報に応じた最適な例外処理を実行することが可能となる。
【００２０】
本願によれば、データ通信を行うアプリケーションの実行途上であっても、非同期に他のアプリケーションを実行することが可能となり、例えばデータ通信のリトライ処理途上で他のアプリケーションを実行することにより、ユーザの利便性が向上する。
【００２１】
本願によれば、中継装置を経由してデータ通信することにより、既設の中央装置で実行される通信プログラムを変更することなく、中継装置にて表示画面定義情報に通信制御情報を付与することができ、通信異常時のリトライ回数、リトライ間隔等を定めることが可能となる。したがって、例えばウェブサービスアプリケーションの実行途上で通信が切断された場合であっても、適切な例外処理を実行することができ、データ通信システムで採用する携帯端末装置の物理的制約を緩和することができ、プログラムの再開発、変更等を行うことなく、表示画面定義情報に含まれる通信制御情報を変更するだけで、システムの通信動作に関する拡張・改変等を行うことが容易となる。
【００２２】
本願によれば、外部のアプリケーションサーバ等から受信した表示画面定義情報に含まれている通信制御情報に従って、例えば通信異常時のリトライ回数、リトライ間隔等を定めることができ、中央装置に構築されているアプリケーションプログラムの仕様を意識することなく、最適な例外処理を実行することが可能となる。
【発明を実施するための最良の形態】
【００２３】
以下、本発明をその実施の形態を示す図面に基づいて詳述する。
【００２４】
（実施の形態１）
以下、本発明の実施の形態１に係るデータ通信システムにつき、図面を参照しながら詳細に説明する。図１は、本発明の実施の形態１に係るデータ通信システムの構成を示すブロック図である。本発明の実施の形態１に係るデータ通信システムは、移動可能な携帯端末装置１と、該携帯端末装置１へアプリケーションを提供する中央装置２とで構成されている。
【００２５】
携帯端末装置１は、少なくともＣＰＵ１１、ＲＯＭ１２、ＲＡＭ１３、データの入力を受け付ける入力部１４、画像を表示する表示部１５、及び中央装置２との間でデータ通信可能な通信インタフェース部１６を備えている。
【００２６】
ＣＰＵ１１は、内部バス１７を介して携帯端末装置１の上述したようなハードウェア各部と接続されており、上述したハードウェア各部を制御するとともに、ＲＯＭ１２に記憶されている処理プログラム、例えば表示画面定義情報を受信するプログラム、受信した表示画面定義情報から例外処理を特定する通信制御情報を抽出するプログラム、通信制御情報を解釈して例外処理を実行するプログラム等に従って、種々のソフトウェア的機能を実行する。
【００２７】
ＲＯＭ１２は、フラッシュメモリ等で構成され、携帯端末装置１として機能させるために必要な処理プログラムを記憶している。ＲＡＭ１３は、ＳＲＡＭ等で構成され、ソフトウェアの実行時に発生する一時的なデータを記憶する。通信インタフェース部１６は、表示画面を定義した表示画面定義情報の受信、表示画面を介して入力を受け付けたデータの送信等を行う。以下、本実施の形態１では、通信インタフェース部１６を介する中央装置２との通信が無線通信である場合について説明するが、ＬＡＮ／ＷＡＮケーブル等を介する有線通信であっても良い。
【００２８】
入力部１４は、表示画面を介してデータの入力を受け付ける。例えば携帯端末装置１が携帯電話機である場合、入力ボタンに相当する。表示部１５は、受信した表示画面定義情報に従って画像を表示する液晶表示パネル等である。例えば携帯端末装置１が携帯電話機である場合、表示画面定義情報はＸＦＯＲＭデータ、ＨＴＭＬデータ等のタグ情報であり、携帯端末装置１のＣＰＵ１１がタグ情報を解釈して液晶表示パネルへ画像を表示する。
【００２９】
中央装置２は、少なくともＣＰＵ２１、ＲＯＭ２２、ＲＡＭ２３、携帯端末装置１との間でデータ通信可能な通信インタフェース部２４、及びアプリケーションプログラム、アプリケーションプログラムに従って表示画面定義情報等を記憶しているハードディスク等の記憶部（記憶手段）２５を備えている。
【００３０】
ＣＰＵ２１は、内部バス２６を介して中央装置２の上述したようなハードウェア各部と接続されており、上述したハードウェア各部を制御するとともに、ＲＯＭ２２に記憶されている処理プログラム、例えば携帯端末装置１の通信環境に関する情報である環境情報を受信するプログラム、受信した環境情報に基づいて表示画面定義情報に通信制御情報を付加するプログラム、通信制御情報を携帯端末装置１へ送信するプログラム等に従って、種々のソフトウェア的機能を実行する。
【００３１】
ＲＯＭ２２は、フラッシュメモリ等で構成され、中央装置２として機能させるために必要な処理プログラムを記憶している。ＲＡＭ２３は、ＳＲＡＭ等で構成され、ソフトウェアの実行時に発生する一時的なデータを記憶する。通信インタフェース部２４は、携帯端末装置１の表示画面を定義した表示画面定義情報の送信等を行う。以下、本実施の形態１では、通信インタフェース部２４を介する携帯端末装置１との通信が無線通信である場合について説明するが、通信が安定しないＬＡＮ／ＷＡＮケーブル等を介する有線通信であっても良い。
【００３２】
記憶部２５はハードディスク等の固定型記憶装置等であり、携帯端末装置１を識別する識別情報、通信キャリアを識別する識別情報等の通信環境を特定する環境情報に対応付けて、通信異常発生時の例外処理を定義する通信制御情報を記憶する通信制御情報記憶部２５１を備えている。
【００３３】
以下、実施の形態１に係るデータ通信システムでの処理手順について、携帯端末装置１として携帯電話機１ａを用いたｉモード（登録商標）サービス等のウェブ通信を例に挙げて説明する。なお、ウェブ通信に限定されるものではなく、表示画面定義情報に基づいて画像を表示するアプリケーションであれば良い。
【００３４】
図２は、本発明の実施の形態１に係るデータ通信システムの携帯電話機１ａに表示されるウェブ画面の例示図である。図２に示すように、携帯電話機１ａの表示画面は、商品を選択して注文個数を入力した後にデータを送信した場合、可能な納期が表示される納期確認アプリケーションの一例を示している。
【００３５】
図２では、ラジオボタン２０１を用いて複数の商品の中から注文対象となる商品、例えば商品Ｂを選択し、入力領域２０２へ注文個数を入力する。そして、送信ボタン２０３を選択した場合、中央装置２とウェブ通信を確立し、入力されたデータが送信され、中央装置２での演算結果として、商品Ｂの納期情報をＨＴＭＬ文として受信する。受信したＨＴＭＬ文に基づいて図２と同様の画面が表示され、出力領域２０４に、例えばＸＸ／ＸＸ／ＸＸのようなフォーマットで最短の納期が表示される。
【００３６】
中央装置２から送信される表示画面定義情報であるＨＴＭＬ文は、例えば図３のように記述されている。図３は、本発明の実施の形態１に係るデータ通信システムの携帯電話機１ａに表示されるウェブ画面を定義したＨＴＭＬ文（表示画面定義情報）の一例を示す図である。図３に示すように、入力されたデータは、図２の送信ボタン２０３が選択された場合に外部へ送信されるように記述されている。
【００３７】
図３に示すＨＴＭＬ文では、送信ボタン２０３の機能としてデータを送信することは定義されているが、その他の通信制御情報は定義されていない。したがって、例えば携帯電話機１ａの機種が変更された場合、あるいは通信が電波微弱等により遮断された場合等の例外処理は、中央装置２の記憶部２５に記憶されているアプリケーションプログラムに依存する。
【００３８】
そこで、本実施の形態１では、図４に示すように、中央装置２から表示画面定義情報を送信する時点で、例外処理に関する定義情報を付与している点に特徴を有している。図４は、本発明の実施の形態１に係るデータ通信システムでの表示画面定義情報としてのＨＴＭＬ文の一例を示す図である。図４に示すように、通信制御情報４１を中央装置２でＨＴＭＬ文に付与し、例外処理を携帯電話機１ａで実行させる。
【００３９】
図４の例では、通信制御情報として、“retry ”及び“interval”を挿入している。“retry ”は、通信が途絶えた場合に送信リトライを実行する回数を示すタグ情報である。また、“interval”は、通信が途絶えた場合に送信リトライを実行する間隔を示すタグ情報である。
【００４０】
中央装置２のＣＰＵ２１は、以下の処理手順で通信制御情報を表示画面定義情報に付与する。図５は、本発明の実施の形態１に係るデータ通信システムの中央装置２のＣＰＵ２１の処理手順を示すフローチャートである。携帯電話機１ａにて中央装置２の記憶部２５に記憶してあるアプリケーションプログラムを実行する場合、まず中央装置２のＣＰＵ２１は、携帯電話機１ａとの通信を確立する（ステップＳ５０１）。
【００４１】
通信確立時に両者間で送受信されるデータのヘッダ情報には、例えば携帯電話機１ａを識別する識別情報、通信キャリアを識別する識別情報等の環境情報が含まれている。また、通信確立までのリトライ回数等の通信環境に関する情報も環境情報として中央装置２のＣＰＵ２１は取得することができる。そこで、ＣＰＵ２１は、受信したデータのヘッダ情報を参照して、環境情報を抽出し（ステップＳ５０２）、抽出した環境情報に対応する通信制御情報が、記憶部２５の通信制御情報記憶部２５１に記憶してあるか否かを判断する（ステップＳ５０３）。
【００４２】
図６は、通信制御情報記憶部２５１に記憶されているデータの一構成例を示す図である。図６に示すように、使用する携帯電話機の機種を識別する識別情報である機種ＩＤに対応付けて、通信が途絶えた場合に送信リトライを実行する回数を示す“retry ”、通信が途絶えた場合に送信リトライを実行する間隔を示す“interval”の値を記憶している。キー情報となる環境情報は、特に携帯電話機の機種ＩＤに限定されるものではなく、通信制御情報についても“retry ”、“interval”に限定されるものではない。例えば図６では、携帯電話機１ａの機種ごとに通信制御情報が対応付けられている例を示しているが、特にこれに限定されるものではなく、携帯電話網を運営しているキャリア、ＧＰＳ（Ｇｌｏｂａｌ  Ｐｏｓｉｔｉｏｎ  Ｓｙｓｔｅｍ）から取得した携帯電話機１ａの位置情報、携帯電話機のバッテリ残量、携帯電話機の電波強度等の携帯電話機１ａの通信状態を示す情報（環境情報）と対応付けて記憶されていても良い。
【００４３】
携帯電話機１ａの機種、携帯電話網を提供しているキャリアが同一である場合であっても、携帯電話機１ａを使用している場所、環境等に応じて通信状態が相違する場合があり、位置情報、電波強度等を取得し、取得した位置情報、電波強度等に対応付けられた通信制御情報を通信制御情報記憶部から抽出することにより、携帯電話機１ａが使用されている通信環境及び該通信環境の変動に応じて、より適切な通信制御情報の設定を行うことが可能となる。なお、ＧＰＳの位置情報、携帯電話機のバッテリ残量、携帯電話機の電波強度等については、ヘッダ情報に含まれない場合もあることから、携帯電話機１ａから中央装置２へウェブアプリケーション実行の要求が行われる時点で、該要求メッセージの中に識別可能に挿入され、通知されるようにしても良い。
【００４４】
ＣＰＵ２１が、抽出した環境情報に対応する通信制御情報が、記憶部２５の通信制御情報記憶部２５１に記憶していないと判断した場合（ステップＳ５０３：ＮＯ）、ＣＰＵ２１は、通信制御情報を表示画面定義情報（ＨＴＭＬ文）に付与することなく、ステップＳ５０５へスキップする。ＣＰＵ２１が、抽出した環境情報に対応する通信制御情報が、記憶部２５の通信制御情報記憶部２５１に記憶してあると判断した場合（ステップＳ５０３：ＹＥＳ）、ＣＰＵ２１は、記憶してある通信制御情報を抽出し、表示画面定義情報に付与する（ステップＳ５０４）。ＣＰＵ２１は、表示画面定義情報を携帯電話機１ａへ送信し（ステップＳ５０５）、表示画面を介した携帯電話機１ａからのデータ受信の待機状態となる。
【００４５】
表示画面定義情報を受信した携帯電話機１ａのＣＰＵ１１は、以下の処理を実行する。図７は、本発明の実施の形態１に係るデータ通信システムの携帯電話機１ａのＣＰＵ１１の処理手順を示すフローチャートである。
【００４６】
携帯電話機１ａのＣＰＵ１１は、中央装置２から表示画面定義情報を受信する（ステップＳ７０１）。ＣＰＵ１１は、受信した表示画面定義情報に通信制御情報が含まれているか否かを判断し（ステップＳ７０２）、ＣＰＵ１１が、受信した表示画面定義情報に通信制御情報が含まれていないと判断した場合（ステップＳ７０２：ＮＯ）、ＣＰＵ１１は、例外処理を行わず、ユーザの手動により再起動し、又はリトライするものとしてステップＳ７０４へスキップする。
【００４７】
ＣＰＵ１１が、受信した表示画面定義情報に通信制御情報が含まれていると判断した場合（ステップＳ７０２：ＹＥＳ）、ＣＰＵ１１は、通信制御情報を抽出して、送信リトライ回数、送信リトライ間隔等を設定する（ステップＳ７０３）。ＣＰＵ１１は、表示画面を介して受け付けたデータを中央装置２へ送信する（ステップＳ７０４）。
【００４８】
ＣＰＵ１１は、データの送信が正常に終了したか否かを判断し（ステップＳ７０５）、ＣＰＵ１１が、データの送信が異常終了したと判断した場合（ステップＳ７０５：ＮＯ）、ＣＰＵ１１は、設定した例外処理に従ってリトライ処理し（ステップＳ７０６）、ステップＳ７０４へ処理を戻す。ＣＰＵ１１が、データの送信が正常に終了したと判断した場合（ステップＳ７０５：ＹＥＳ）、ＣＰＵ１１は、正常終了メッセージを表示部１５へ表示する（ステップＳ７０７）。
【００４９】
以上のように本実施の形態１によれば、携帯端末装置１は、画像を表示するために受信する表示画面定義情報内に付与されている通信制御情報に従って、通信異常時のリトライ回数、リトライ間隔等を定めることができる。したがって、ユーザが手動でリトライ処理を実行する必要がなく、使用上の違和感を抑制することが可能となる。また、携帯端末装置１の機種変更等を行った場合であっても、中央装置２側のアプリケーションプログラムは変更する必要がなく、メンテナンス工数を削減することができ、データ通信システムで採用する携帯端末装置１の物理的制約を緩和することができ、システムの拡張・改変等を行うことが容易となる。
【００５０】
さらに、携帯端末装置１から機種に関する情報、キャリアに関する情報、通信プロトコルに関する情報、通信状態に関する情報等の環境情報を受信した中央装置２は、環境情報に対応する通信制御情報を確実に抽出することができ、携帯端末装置１は環境情報に応じた最適な例外処理を実行することが可能となる。
【００５１】
（実施の形態２）
以下、本発明の実施の形態２に係るデータ通信システムにつき、図面を参照しながら詳細に説明する。図８は、本発明の実施の形態２に係るデータ通信システムの構成を示すブロック図である。本発明の実施の形態２に係るデータ通信システムは、移動可能な携帯端末装置１と、該携帯端末装置１へアプリケーションを提供する中央装置２と、携帯端末装置１と中央装置２との間でのデータ通信を中継する中継装置３とで構成されている。
【００５２】
携帯端末装置１は、少なくともＣＰＵ１１、ＲＯＭ１２、ＲＡＭ１３、データの入力を受け付ける入力部１４、画像を表示する表示部１５、及び中継装置３との間でデータ通信可能な通信インタフェース部１６を備えている。
【００５３】
ＣＰＵ１１は、内部バス１７を介して携帯端末装置１の上述したようなハードウェア各部と接続されており、上述したハードウェア各部を制御するとともに、ＲＯＭ１２に記憶されている処理プログラム、例えば表示画面定義情報を受信するプログラム、受信した表示画面定義情報から例外処理を特定する通信制御情報を抽出するプログラム、通信制御情報を解釈して例外処理を実行するプログラム等に従って、種々のソフトウェア的機能を実行する。
【００５４】
ＲＯＭ１２は、フラッシュメモリ等で構成され、携帯端末装置１として機能させるために必要な処理プログラムを記憶している。ＲＡＭ１３は、ＳＲＡＭ等で構成され、ソフトウェアの実行時に発生する一時的なデータを記憶する。通信インタフェース部１６は、表示画面を定義した表示画面定義情報の受信、表示画面を介して入力を受け付けたデータの送信等を行う。以下、本実施の形態２では、通信インタフェース部１６を介する中継装置３との通信が無線通信である場合について説明するが、ＬＡＮ／ＷＡＮケーブル等を介する有線通信であっても良い。
【００５５】
入力部１４は、表示画面を介してデータの入力を受け付ける。例えば携帯端末装置１が携帯電話機である場合、入力ボタンに相当する。表示部１５は、受信した表示画面定義情報に従って画像を表示する液晶表示パネル等である。例えば携帯端末装置１が携帯電話機である場合、表示画面定義情報はＸＦＯＲＭデータ、ＨＴＭＬデータ等のタグ情報であり、携帯端末装置１のＣＰＵ１１がタグ情報を解釈して液晶表示パネルへ画像を表示する。
【００５６】
中央装置２は、少なくともＣＰＵ２１、ＲＯＭ２２、ＲＡＭ２３、中継装置３との間でデータ通信可能な通信インタフェース部２４、及びアプリケーションプログラム、アプリケーションプログラムに従って表示画面定義情報等を記憶しているハードディスク等の記憶部（記憶手段）２５を備えている。
【００５７】
ＣＰＵ２１は、内部バス２６を介して中央装置２の上述したようなハードウェア各部と接続されており、上述したハードウェア各部を制御するとともに、ＲＯＭ２２に記憶されている処理プログラム、例えば携帯端末装置１の通信環境に関する情報である環境情報を受信するプログラム、受信した環境情報に基いて表示画面定義情報に通信制御情報を付加するプログラム、通信制御情報を中継装置３へ送信するプログラム等に従って、種々のソフトウェア的機能を実行する。
【００５８】
ＲＯＭ２２は、フラッシュメモリ等で構成され、中央装置２として機能させるために必要な処理プログラムを記憶している。ＲＡＭ２３は、ＳＲＡＭ等で構成され、ソフトウェアの実行時に発生する一時的なデータを記憶する。通信インタフェース部２４は、中継装置３への表示画面定義情報の送信等を行う。以下、本実施の形態２では、通信インタフェース部２４を介する中継装置３との通信がＬＡＮケーブル等を介する有線通信である場合について説明するが、もちろん無線通信であっても良い。記憶部２５はハードディスク等の固定型記憶装置等であり、アプリケーションプログラム、通信異常発生時の例外処理を定義する通信制御情報を生成するプログラム等を記憶してある。
【００５９】
中継装置３は、少なくともＣＰＵ３１、ＲＯＭ３２、ＲＡＭ３３、携帯端末装置１及び中央装置２との間でデータ通信可能な通信インタフェース部３４、及び携帯端末装置１を識別する識別情報、通信キャリアを識別する識別情報等の通信環境を特定する環境情報に対応付けて、通信異常発生時の例外処理を定義する通信制御情報を記憶する通信制御情報記憶部３５１を備える、ハードディスク等の記憶部（記憶手段）３５を備えている。
【００６０】
ＣＰＵ３１は、内部バス３６を介して中継装置３の上述したようなハードウェア各部と接続されており、上述したハードウェア各部を制御するとともに、ＲＯＭ３２に記憶されている処理プログラム、例えば携帯端末装置１の通信環境に関する情報である環境情報を受信するプログラム、表示画面定義情報を中央装置２から受信するプログラム、受信した環境情報に基いて表示画面定義情報に通信制御情報を付加するプログラム、通信制御情報を携帯端末装置１へ送信するプログラム等に従って、種々のソフトウェア的機能を実行する。
【００６１】
ＲＯＭ３２は、フラッシュメモリ等で構成され、中継装置３として機能させるために必要な処理プログラムを記憶している。ＲＡＭ３３は、ＳＲＡＭ等で構成され、ソフトウェアの実行時に発生する一時的なデータを記憶する。通信インタフェース部３４は、携帯端末装置１の表示画面を定義した表示画面定義情報の送信等を行う。以下、本実施の形態２では、通信インタフェース部３４を介する携帯端末装置１との通信は無線通信であり、中央装置２との通信は、ＬＡＮ／ＷＡＮケーブル等を介する有線通信である場合について説明する。
【００６２】
記憶部３５はハードディスク等の固定型記憶装置等であり、携帯端末装置１を識別する識別情報、通信キャリアを識別する識別情報等の通信環境を特定する環境情報に対応付けて、通信異常発生時の例外処理を定義する通信制御情報を記憶する通信制御情報記憶部３５１を備えている。通信制御情報記憶部３５１に記憶されているデータの構成は、実施の形態１の通信制御情報記憶部２５１と同様である。
【００６３】
以下、実施の形態２に係るデータ通信システムでの処理手順について、携帯端末装置１として携帯電話機１ａを用いたｉモード（登録商標）サービス等のウェブ通信を例に挙げて説明する。なお、ウェブ通信に限定されるものではなく、表示画面定義情報に基づいて画像を表示するアプリケーションであれば良い。
【００６４】
本実施の形態２では、中継装置３のＣＰＵ３１が、以下の処理手順で通信制御情報を表示画面定義情報に付与する。図９は、本発明の実施の形態２に係るデータ通信システムの中継装置３のＣＰＵ３１の処理手順を示すフローチャートである。携帯電話機１ａにて中央装置２の記憶部２５に記憶してあるアプリケーションプログラムを実行する場合、まず中継装置３のＣＰＵ３１は、携帯電話機１ａ及び中央装置２との通信を確立する（ステップＳ９０１）。ＣＰＵ３１は、携帯電話機１ａで表示する画像を定義する表示画面定義情報を中央装置２から受信する（ステップＳ９０２）。
【００６５】
通信確立時に両者間で送受信されるデータのヘッダ情報には、例えば携帯電話機１ａを識別する識別情報、通信キャリアを識別する識別情報等の環境情報が含まれている。また、通信確立までのリトライ回数等の通信環境に関する情報も環境情報として中継装置３のＣＰＵ３１は取得することができる。そこで、ＣＰＵ３１は、携帯電話機１ａから受信したデータのヘッダ情報を参照して、環境情報を抽出し（ステップＳ９０３）、抽出した環境情報に対応する通信制御情報が、記憶部３５の通信制御情報記憶部３５１に記憶してあるか否かを判断する（ステップＳ９０４）。
【００６６】
ＣＰＵ３１が、抽出した環境情報に対応する通信制御情報が、記憶部３５の通信制御情報記憶部３５１に記憶していないと判断した場合（ステップＳ９０４：ＮＯ）、ＣＰＵ３１は、通信制御情報を表示画面定義情報（ＨＴＭＬ文）に付与することなく、ステップＳ９０６へスキップする。ＣＰＵ３１が、抽出した環境情報に対応する通信制御情報が、記憶部３５の通信制御情報記憶部３５１に記憶してあると判断した場合（ステップＳ９０４：ＹＥＳ）、ＣＰＵ３１は、記憶してある通信制御情報を抽出し、表示画面定義情報に付与する（ステップＳ９０５）。ＣＰＵ２１は、表示画面定義情報を携帯電話機１ａへ送信し（ステップＳ９０６）、表示画面を介した携帯電話機１ａからのデータ受信の待機状態となる。
【００６７】
表示画面定義情報を受信した携帯電話機１ａのＣＰＵ１１は、実施の形態１と同様の処理を実行して、入力部１４を介して受け付けたデータを送信する。
【００６８】
以上のように本実施の形態２によれば、中継装置３を経由してデータ通信することにより、既設の中央装置２で実行される通信プログラムを変更することなく、中継装置３にて表示画面定義情報に通信制御情報を付与することができ、通信異常時のリトライ回数、リトライ間隔等を定めることが可能となる。したがって、例えばウェブサービスアプリケーションの実行途上で通信が切断された場合であっても、適切な例外処理を実行することができ、データ通信システムで採用する携帯端末装置１の物理的制約を緩和することができ、プログラムの再開発、変更等を行うことなく、表示画面定義情報に含まれる通信制御情報を変更するだけで、システムの通信動作に関する拡張・改変等を行うことが容易となる。
【００６９】
（実施の形態３）
以下、本発明の実施の形態３に係るデータ通信システムにつき、図面を参照しながら詳細に説明する。本発明の実施の形態３に係るデータ通信システムの構成は、実施の形態１又は２と同様であることから、同一の符号を付することにより詳細な説明を省略する。本実施の形態３は、通信制御情報として、携帯端末装置１と中央装置２との間で通信を開始してから終了するまでの間に携帯端末装置１で表示する画像を指定する情報を含む点で実施の形態１又は２と相違する。
【００７０】
図１０は、本発明の実施の形態３に係るデータ通信システムでの表示画面定義情報としてのＨＴＭＬ文の一例を示す図である。図１０に示すように、実施の形態１で付与した通信制御情報４１に加えて、新たな通信制御情報５１、５２をＨＴＭＬ文に付与し、例外処理を携帯電話機１ａで実行させる。ＨＴＭＬ文に新たな通信制御情報５１、５２を付与するのは中央装置２であっても良いし、中継装置３であっても良い。
【００７１】
図１０の例では、新たな通信制御情報として、“async ”、“onSendUrl ”及び“onResponseUrl”を挿入している。“async ”は、非同期通信を行うか否かを指定するタグ情報であり、“true”と指定された場合には非同期通信を実行可能となる。“onSendUrl ”は、データ送信中の表示画面を指定するタグ情報であり、例えばＵＲＬ名を指定する。“onResponseUrl”は、データ送信が完了した場合の表示画面を指定するタグ情報であり、例えばＵＲＬ名を指定する。
【００７２】
図１１は、通信制御情報にデータ通信を開始してから終了するまでの間に携帯電話機１ａで表示する画像を指定する情報が付与されている場合の携帯電話機１ａの画面遷移の一例を示す図である。図１１に示すように、携帯電話機１ａは、アプリケーションの実行開始時には、表示画面定義情報に従って画面１１１を表示する。
【００７３】
そして、ユーザが、ラジオボタン２０１を選択し、入力領域２０２へ数値を入力し、送信ボタン２０３を選択した場合、中央装置２（又は中継装置３）とのデータ通信を開始する。通信制御情報として“async ”が“true”と指定されている場合、携帯電話機１ａは非同期通信を実行し、データ通信中は“onSendUrl ”で指定された画面１１２が表示される。ユーザは画面表示によりデータ送信途上であることを確認することができる。
【００７４】
データ通信が完了した場合、携帯電話機１ａは、通信制御情報の“onResponseUrl”で指定された画面１１３を表示し、ユーザは、データ送信が完了したことを確認することができる。図１１の例では、複数のデータ通信が実行されており、そのうちの１つが完了した場合について画面表示例を示している。非同期通信でない場合は、１つでもデータ通信が実行されている場合には、画面１１３のようなデータ送信完了メッセージを表示することはできない。このように中央装置２のアプリケーションを更新することなく、通信制御情報に従って非同期通信を実行することにより、ユーザの利便性は大幅に向上する。
【００７５】
以上のように本実施の形態３によれば、データ通信を行うアプリケーションの実行途上であっても、非同期に他のアプリケーションを実行することが可能となり、例えばデータ通信のリトライ処理途上で他のアプリケーションを実行することにより、ユーザの利便性が向上する。
【００７６】
なお、上述した実施の形態３において、環境情報に応じて画面遷移を指定することができるようにしても良い。この場合、中央装置２の通信制御情報記憶部２５１、又は中継装置３の通信制御情報記憶部３５１に、使用する携帯電話機を識別する識別情報で有る識別ＩＤに対応付けて、非同期通信を行うか否かを指定する“async ”、データ送信中の表示画面を指定する“onSendUrl ”、及びデータ送信が完了した場合の表示画面を指定する“onResponseUrl”の値を記憶しておく。もちろん、キー情報となる環境情報は、特に携帯電話機の識別ＩＤに限定されるものではなく、通信制御情報についても“async ”、“onSendUrl ”、“onResponseUrl”に限定されるものではない。
【００７７】
中央装置２又は中継装置３は、受信した環境情報に対応する通信制御情報が通信制御情報記憶部２５１又は通信制御情報記憶部３５１に記憶されているか否かを判断し、記憶されている場合には対応する通信制御情報を表示画面定義情報に付与して携帯端末装置１へ送信する。これにより、携帯端末装置１の通信状態等に応じて適切な画面を表示することができ、ユーザの利便性を向上することが可能となる。
【００７８】
以上の実施の形態１乃至３に関し、さらに以下の付記を開示する。
【００７９】
（付記１）
携帯端末装置と、該携帯端末装置とデータ通信可能な中央装置とを備え、前記携帯端末装置は、前記中央装置から受信した表示画面定義情報に基づいて画像を表示し、表示された画像を介して受け付けたデータを前記中央装置へ送信するようにしてあるデータ通信システムにおいて、
前記中央装置は、
前記携帯端末装置で表示する画像を定義する表示画面定義情報を記憶する手段と、
前記表示画面定義情報に、前記携帯端末装置と前記中央装置との通信時の例外処理手順を設定する通信制御情報を付与する手段と
を備え、
前記携帯端末装置は、
受信した表示画面定義情報から前記通信制御情報を抽出する手段を備え、抽出された通信制御情報に従って、前記中央装置とデータ通信するようにしてあることを特徴とするデータ通信システム。
【００８０】
（付記２）
前記中央装置は、
前記携帯端末装置の通信環境を特定する環境情報に対応付けて前記通信制御情報を記憶手段へ記憶しておき、
前記環境情報を前記携帯端末装置から受信する手段と、
受信した環境情報に基づいて、前記記憶手段から前記通信制御情報を抽出する手段と
を備え、
抽出された通信制御情報を前記表示画面定義情報に付与するようにしてあることを特徴とする付記１記載のデータ通信システム。
【００８１】
（付記３）
前記通信制御情報は、
前記携帯端末装置と前記中央装置との間で通信を開始してから終了するまでの間に前記携帯端末装置で表示する画像を指定する情報を含むことを特徴とする請求項１又は２記載のデータ通信システム。
【００８２】
（付記４）
携帯端末装置と中央装置との間のデータ通信を中継する中継装置において、
前記携帯端末装置で表示する画像を定義する表示画面定義情報を前記中央装置から受信する手段と、
前記表示画面定義情報に、前記携帯端末装置と前記中央装置との通信時の例外処理手順を設定する通信制御情報を付与する手段と、
該通信制御情報が付与された表示画面定義情報を前記携帯端末装置へ送信する手段と
を備えることを特徴とする中継装置。
【００８３】
（付記５）
前記携帯端末装置の通信環境を特定する環境情報に対応付けて前記通信制御情報を記憶手段へ記憶しておき、
前記環境情報を前記携帯端末装置から受信する手段と、
受信した環境情報に基づいて、前記記憶手段から前記通信制御情報を抽出する手段と
を備え、
抽出された通信制御情報を前記表示画面定義情報に付与するようにしてあることを特徴とする付記４記載の中継装置。
【００８４】
（付記６）
前記通信制御情報は、
前記携帯端末装置と前記中央装置との間で通信を開始してから終了するまでの間に前記携帯端末装置で表示する画像を指定する情報を含むことを特徴とする付記４又は５記載の中継装置。
【００８５】
（付記７）
携帯端末装置と中央装置との間のデータ通信を中継するコンピュータで実行可能なコンピュータプログラムにおいて、
前記コンピュータを、
前記携帯端末装置で表示する画像を定義する表示画面定義情報を前記中央装置から受信する手段、
前記表示画面定義情報に、前記携帯端末装置と前記中央装置との通信時の例外処理手順を設定する通信制御情報を付与する手段、
該通信制御情報が付与された表示画面定義情報を前記携帯端末装置へ送信する手段
として機能させることを特徴とするコンピュータプログラム。
【００８６】
（付記８）
前記コンピュータを、
前記携帯端末装置の通信環境を特定する環境情報に対応付けて前記通信制御情報を記憶手段へ記憶する手段、
前記環境情報を前記携帯端末装置から受信する手段、
受信した環境情報に基づいて、事前に前記記憶手段に記憶されている前記通信制御情報から対応する通信制御情報を抽出する手段
として機能させ、
抽出された通信制御情報を前記表示画面定義情報に付与するよう機能させることを特徴とする付記７記載のコンピュータプログラム。
【００８７】
（付記９）
前記通信制御情報は、
前記携帯端末装置と前記中央装置との間で通信を開始してから終了するまでの間に前記携帯端末装置で表示する画像を指定する情報を含むことを特徴とする付記７又は８記載のコンピュータプログラム。
【００８８】
（付記１０）
携帯端末装置と、該携帯端末装置とデータ通信可能な中央装置とを用い、前記携帯端末装置は、前記中央装置から受信した表示画面定義情報に基づいて画像を表示し、表示された画像を介して受け付けたデータを前記中央装置へ送信するデータ通信方法において、
前記中央装置は、
前記携帯端末装置で表示する画像を定義する表示画面定義情報を記憶し、
前記表示画面定義情報に、前記携帯端末装置と前記中央装置との通信時の例外処理手順を設定する通信制御情報を付与し、
前記携帯端末装置は、
受信した表示画面定義情報から前記通信制御情報を抽出し、
抽出された通信制御情報に従って、前記中央装置とデータ通信することを特徴とするデータ通信方法。
【００８９】
（付記１１）
前記中央装置は、
前記携帯端末装置の通信環境を特定する環境情報に対応付けて前記通信制御情報を記憶手段へ記憶しておき、
前記環境情報を前記携帯端末装置から受信し、
受信した環境情報に基づいて、前記記憶手段に記憶されている通信制御情報を抽出し、
抽出された通信制御情報を前記表示画面定義情報に付与することを特徴とする付記１０記載のデータ通信方法。
【００９０】
（付記１２）
前記通信制御情報は、
前記携帯端末装置と前記中央装置との間で通信を開始してから終了するまでの間に前記携帯端末装置で表示する画像を指定する情報を含むことを特徴とする付記１０又は１１記載のデータ通信方法。
【００９１】
（付記１３）
外部から受信した表示画面定義情報に基づいて画像を表示し、表示された画像を介して受け付けたデータを外部へ送信するようにしてある携帯端末装置において、
外部から表示する画像を定義する表示画面定義情報を受信する手段と、
前記表示画面定義情報から、データ通信時の例外処理手順を設定する通信制御情報を抽出する手段と、
抽出された通信制御情報に従って外部とデータ通信する手段と
を備えることを特徴とする携帯端末装置。
【図面の簡単な説明】
【００９２】
【図１】本発明の実施の形態１に係るデータ通信システムの構成を示すブロック図である。
【図２】本発明の実施の形態１に係るデータ通信システムの携帯電話機に表示されるウェブ画面の例示図である。
【図３】本発明の実施の形態１に係るデータ通信システムの携帯電話機に表示されるウェブ画面を定義したＨＴＭＬ文（表示画面定義情報）の一例を示す図である。
【図４】本発明の実施の形態１に係るデータ通信システムでの表示画面定義情報としてのＨＴＭＬ文の一例を示す図である。
【図５】本発明の実施の形態１に係るデータ通信システムの中央装置のＣＰＵの処理手順を示すフローチャートである。
【図６】通信制御情報記憶部に記憶されているデータの一構成例を示す図である。
【図７】本発明の実施の形態１に係るデータ通信システムの携帯電話機のＣＰＵの処理手順を示すフローチャートである。
【図８】本発明の実施の形態２に係るデータ通信システムの構成を示すブロック図である。
【図９】本発明の実施の形態２に係るデータ通信システムの中継装置のＣＰＵの処理手順を示すフローチャートである。
【図１０】本発明の実施の形態３に係るデータ通信システムでの表示画面定義情報としてのＨＴＭＬ文の一例を示す図である。
【図１１】通信制御情報にデータ通信を開始してから終了するまでの間に携帯電話機で表示する画像を指定する情報が付与されている場合の携帯電話機の画面遷移の一例を示す図である。
【符号の説明】
【００９３】
１  携帯端末装置
１ａ  携帯電話機
２  中央装置
３  中継装置
１１、２１、３１  ＣＰＵ
１２、２２、３２  ＲＯＭ
１３、２３、３３  ＲＡＭ
１４  入力部
１５  表示部
１６、２４、３４  通信インタフェース部
１７、２６、３６  内部バス
２５、３５  記憶部
２５１、３５１  通信制御情報記憶部
【図１】
0004753713.tif 000002
【図２】
0004753713.tif 000003
【図３】
0004753713.tif 000004
【図４】
0004753713.tif 000005
【図５】
0004753713.tif 000006
【図６】
0004753713.tif 000007
【図７】
0004753713.tif 000008
【図８】
0004753713.tif 000009
【図９】
0004753713.tif 000010
【図１０】
0004753713.tif 000011
【図１１】
0004753713.tif 000012